(57)【要約】【課題】作業性に優れ、記入欄に記入した個人情報等が外部から容易に読み取られず、カード発行証明書等とのマッチングが容易であり、ＦＡＸ等の読取装置による読み取りに適した申込書とその使用方法を提供する。【解決手段】申込書１０は、カード即時発行用申込書であって、記入片１１と、控え片１２と、再剥離糊１３等とを備え、記入片１１は、申込者が必要事項を記入する紙片であって、Ａ４サイズのコート紙であり、記入欄１１ａを有し、控え片１２は、申込者に控えとして手渡す紙片であって、記入片１１よりも小さいサイズのコート紙であり、控え欄１２ａと、コメント欄１２ｂとを有し、再剥離糊１３は、記入片１１と控え片１２とを再剥離再貼付可能に接着するとともに、他の片が貼付可能な糊である。【選択図】図１
2005324520.tif 000002
【特許請求の範囲】
【請求項１】
記入欄を有する記入片と、
控え欄を有する控え片と、
前記記入片と前記控え片とを少なくとも一部で再剥離再貼付可能に接着する再剥離再貼付層とを備え、
前記再剥離再貼付層は、他の片が貼付可能であること、
を特徴とする申込書。
【請求項２】
記入欄を有する記入片と控え欄を有する控え片とが分離可能に一体化された第１の基材と、
前記第１の基材に重ね合わされた第２の基材と、
前記記入片と前記第２の基材とを少なくとも一部で剥離不可能に接着する強接着層と、
前記控え片と前記第２の基材とを少なくとも一部で再剥離再貼付可能に接着する再剥離再貼付層とを備え、
前記再剥離再貼付層は、他の片が貼付可能であること、
を特徴とする申込書。
【請求項３】
請求項１又は請求項２に記載の申込書において、
前記他の片は、折り畳まれた前記記入片であること、
を特徴とする申込書。
【請求項４】
請求項１から請求項３までのいずれか１項に記載の申込書において、
前記他の片は、前記記入片に情報を付加する、及び／又は、前記記入片の情報を隠蔽する貼付片であること、
を特徴とする申込書。
【請求項５】
請求項１から請求項４までのいずれか１項に記載の申込書において、
前記再剥離再貼付層は、前記記入欄と同一側に形成されていること、
を特徴とする申込書。
【請求項６】
請求項１から請求項５までのいずれか１項に記載の申込書において、
前記再剥離再貼付層に貼付する前記他の片の少なくとも１つの端部の浮き上がりを防止する浮上り防止手段を備えること、
を特徴とする申込書。
【請求項７】
請求項６に記載の申込書において、
前記強接着層は、前記記入片の端部よりも内側に形成されており、
前記浮上り防止手段は、前記第１の基材と前記第２の基材との間に設けられた間隙であること、
を特徴とする申込書。
【請求項８】
請求項７に記載の申込書において、
前記間隙は、前記他の片を少なくとも一部で再剥離再貼付可能に接着する再剥離再貼付層を備えること、
を特徴とする申込書。
【請求項９】
請求項１から請求項８までのいずれか１項に記載の申込書を使用する申込書の使用方法において、
前記控え片を剥離し、前記記入欄及び／又は前記他の片を内部に隠蔽するように折り畳み、前記再剥離再貼付層によってこの申込書を封止すること、
を特徴とする申込書の使用方法。
【請求項１０】
請求項１から請求項９までのいずれか１項に記載の申込書を使用する申込書の使用方法において、
前記控え片を剥離し、前記再剥離再貼付層に前記他の片を貼付して読取装置に読み取らせること、
を特徴とする申込書の使用方法。
【発明の詳細な説明】
【技術分野】
【０００１】
本発明は、会員カード等を即時発行するのに適した申込書とその使用方法に関するものである。
【背景技術】
【０００２】
近年、会員カード等の即時発行が行われるようになってきた（例えば、特許文献１）。
これまでは、店頭で申し込みを受け付け、カード会社へ申込書を送付し、電算入力の後に、エンボス加工（凹凸を形成する加工）によってＮｏ．や氏名の印字を行っていたため、カードの発行は、早くても３日、通常は、２週間以上を要していた。
【０００３】
しかし、ポイントカードやマイレージカードは、サービスを受ける直前に入会を決意することが多く、カード発行に３日もかかってしまっては、入会を躊躇してしまい、せっかくのポイントシステムも広がりにくい可能性があった。
【０００４】
そこで、ワンポイントカードやインスタントカードと呼ばれるような暫定的な一時利用カードをその場で手渡しておき、その後に、正式なカードと入れ替えてもらう、といったように運用される場合が多かった。この方法であれば、入会をためらう理由が少ないからである。
【０００５】
ところが、業者は、この運用方法をあまり歓迎していなかった。それは、運用にコストが多くかかってしまうためである。
一時利用カードであっても、それなりの偽造防止や耐久性が必要であるため、一定のコストがかかってしまい、また、発行したカードを申込者の手元に届けるためには、一般に、宅配や郵便を利用せざるを得ないため、配送費用も必要となってしまっていた。
【０００６】
クレジットカードのように、「カード会費」が得られれば、配送費用の捻出も容易かもしれないが、ポイントカード等の場合は、一般に、会費を徴収しないので、運営コストがかかるだけとなってしまう。
【０００７】
これらの経済的な事情を加味して、即時発行システムが採用されるようになってきた。
即時発行システムであれば、その場で正式なカードを発行してしまうために、（１）一時利用カードの発行が不要、（２）その場で手渡しできるので配送費が不要、といった格別のメリットを有し、また、申込者は、すぐにカードを利用できるので満足度が向上し、業者にとっても申込者にとっても好ましいシステムであった。
【０００８】
しかし、個人情報の保護が叫ばれる昨今、即時発行システムならではの不便さが発生してきた。
例えば、手書きの申込書は、一般に、単なる一枚の用紙であるため、電算入力等を行うまでは、個人情報が無防備な状態で周囲にさらされてしまう恐れがあった。
業者側では、チェックする仕組みを作ることで、ある程度の対応が可能であるが、例えば、広場に机やテントを用意して勧誘するような場合では、悪意者が、デジタルカメラやカメラ内蔵の携帯電話等で、個人情報を撮影してしまうことまでは防ぎきれない可能性があった。
【０００９】
その一方で、例えば、申込書を裏返して置くようにすると、データの確認等の作業性が悪く、人件費が増えてしまう可能性がある。
【００１０】
また、これらの申込書は、最終的には、カード運営本部に送付される場合が多いが、申込書が単なる一枚の用紙の場合、オートシートフィーダ（自動給紙装置）付きのコピー機１台あれば、数百人分程度のデータは、すぐにコピーが完了してしまい、本部へ送付する前にスキミングする（データを盗み出す）ことも可能である。
【００１１】
さらに、即時発行とはいえ、電算入力は、その場で実施しない場合が多い。これは、データの状態で盗まれることを防ぐためでもあるが、申込者が多くなると運営が間に合わないからである。
【００１２】
そこで、即時発行システムにおける電算入力は、カード発行とは別の場所、例えば、カード運営本部や、アウトソーシング会社で行われている。
このときの通信手段は、もっぱらＦＡＸ（ファクシミリ）が主である。当然、スキャナでデータを読み取り、そのデータをメールで送信するという方法もあるが、前述のようにデータの状態で盗まれる可能性を排除するため、一般には、ＦＡＸを利用している。
【００１３】
さて、このＦＡＸ送信（ＦＡＸでデータを読み取り、そのデータを通信回線で送信すること）とも関連するが、通常は、申込者を長く待たせないため、電算入力よりも前にカードを発行し、既に手渡している場合が多い。
つまり、電算入力は、カードが運用されている状態で行われている。このとき、最も気を付けなければならないのは、例えば、カード番号の入力ミスや、二重発行、発行忘れ等のトラブルである。
【００１４】
図７は、従来の申込書を示す図である。
従来の申込書１００は、記入片１１と、控え片１２とを備え、この申込書１００によってカードが発行されたら、カード発行証明書２０を発行している。
上述したカード発行に伴うトラブルを予防するために、カード発行証明書２０は、セルフ発色用紙（感圧紙）が利用されており、インプリンタ（カードに表示されているエンボス文字を転写するプリンタ）によってエンボス文字が複写されている。
【００１５】
このとき、申込書１００とカード発行証明書２０とをマッチングさせておくために、ホッチキス留めが行われるが、ホッチキス留めをしてしまうと、ＦＡＸ送信が困難な場合がある。
シートフィーダがないコピー機のような機種であれば問題ないものの、シートフィーダを使う小型ＦＡＸであれば、ホッチキス留めしたものは通紙できない。
【００１６】
特に、即時発行センターでもない場合には、コピー機のようなＦＡＸを設置することは難しく、マッチング作業は困難をきわめてしまう。
ＦＡＸ送信前にマッチングしてしまえば、ＦＡＸ送信時には一枚一枚分離せざるを得ず、この場合は、ＦＡＸも２枚に分割されるために、通信費や時間が余計にかかることになる。
逆に、ＦＡＸ送信後にマッチングさせることになれば、カードの発行が大量になる場合、用紙の重なりや、紛れ込み等の様々な理由で間違いが起こりやすくなってしまう。
【特許文献１】特開平１１−３４８４５４号公報
【発明の開示】
【発明が解決しようとする課題】
【００１７】
本発明の課題は、作業性に優れ、記入欄に記入した個人情報等が外部から容易に読み取られず、カード発行証明書等とのマッチングが容易であり、ＦＡＸ等の読取装置による読み取りに適した申込書とその使用方法を提供することである。
【課題を解決するための手段】
【００１８】
本発明は、以下のような解決手段により、前記課題を解決する。なお、理解を容易にするために、本発明の実施例に対応する符号を付して説明するが、これに限定されるものではない。
請求項１の発明は、記入欄（１１ａ）を有する記入片（１１）と、控え欄（１２ａ）を有する控え片（１２）と、前記記入片（１１）と前記控え片（１２）とを少なくとも一部で再剥離再貼付可能に接着する再剥離再貼付層（１３）とを備え、前記再剥離再貼付層（１３）は、他の片が貼付可能であること、を特徴とする申込書である。
【００１９】
請求項２の発明は、記入欄（１１ａ）を有する記入片（１１）と控え欄（１２ａ）を有する控え片（１２）とが分離可能に一体化された第１の基材（１０Ｂ−１）と、前記第１の基材（１０Ｂ−１）に重ね合わされた第２の基材（１０Ｂ−２）と、前記記入片（１１）と前記第２の基材（１０Ｂ−２）とを少なくとも一部で剥離不可能に接着する強接着層（１４）と、前記控え片（１２）と前記第２の基材（１０Ｂ−２）とを少なくとも一部で再剥離再貼付可能に接着する再剥離再貼付層（１３−１）とを備え、前記再剥離再貼付層（１３−１）は、他の片が貼付可能であること、を特徴とする申込書である。
【００２０】
請求項３の発明は、請求項１又は請求項２に記載の申込書において、前記他の片は、折り畳まれた前記記入片（１１）であること、を特徴とする申込書である。
【００２１】
請求項４の発明は、請求項１から請求項３までのいずれか１項に記載の申込書において、前記他の片は、前記記入片（１１）に情報を付加する、及び／又は、前記記入片（１１）の情報を隠蔽する貼付片（２０）であること、を特徴とする申込書である。
【００２２】
請求項５の発明は、請求項１から請求項４までのいずれか１項に記載の申込書において、前記再剥離再貼付層（１３）は、前記記入欄（１１ａ）と同一側に形成されていること、を特徴とする申込書である。
【００２３】
請求項６の発明は、請求項１から請求項５までのいずれか１項に記載の申込書において、前記再剥離再貼付層（１３）に貼付する前記他の片の少なくとも１つの端部の浮き上がりを防止する浮上り防止手段を備えること、を特徴とする申込書である。
【００２４】
請求項７の発明は、請求項６に記載の申込書において、前記強接着層（１４）は、前記記入片（１１）の端部よりも内側に形成されており、前記浮上り防止手段は、前記第１の基材（１０Ｂ−１）と前記第２の基材（１０Ｂ−２）との間に設けられた間隙であること、を特徴とする申込書である。
【００２５】
請求項８の発明は、請求項７に記載の申込書において、前記間隙は、前記他の片を少なくとも一部で再剥離再貼付可能に接着する再剥離再貼付層（１３−２）を備えること、を特徴とする申込書である。
【００２６】
請求項９の発明は、請求項１から請求項８までのいずれか１項に記載の申込書を使用する申込書の使用方法において、前記控え片（１２）を剥離し、前記記入欄（１１ａ）及び／又は前記他の片を内部に隠蔽するように折り畳み、前記再剥離再貼付層（１３）によってこの申込書を封止すること、を特徴とする申込書の使用方法である。
【００２７】
請求項１０の発明は、請求項１から請求項９までのいずれか１項に記載の申込書を使用する申込書の使用方法において、前記控え片（１２）を剥離し、前記再剥離再貼付層（１３）に前記他の片を貼付して読取装置に読み取らせること、を特徴とする申込書の使用方法である。
【発明の効果】
【００２８】
本発明によれば、記入片と控え片とを再剥離再貼付層によって接着し、控え片を剥離した後には、他の片が再剥離再貼付層に貼付可能であるので、作業性に優れ、他の片とのマッチングも容易である。
【００２９】
また、記入欄や他の片を内部に隠蔽するように折り畳み、再剥離再貼付層によってこの申込書を封止するので、秘密にしたい情報が外部から容易に読み取られない。
【００３０】
さらに、ホッチキスや針金等の綴じ手段を用いる必要がないので、出っ張りや、不用意な引っ掛かりがなく、ＦＡＸ等の読取装置による読み取りに適している。
【発明を実施するための最良の形態】
【００３１】
本発明は、作業性に優れ、記入欄に記入した個人情報等が外部から容易に読み取られず、カード発行証明書等とのマッチングが容易であり、ＦＡＸ等の読取装置による読み取りに適した申込書とその使用方法を提供するという目的を、カード発行証明書や折り畳まれた記入片を貼付可能な再剥離糊によって、記入片と控え片とを接着することにより実現する。
【実施例１】
【００３２】
以下、図面等を参照して、本発明の実施例について、さらに詳しく説明する。
図１は、本発明による申込書の実施例１を示す図である。
実施例１の申込書１０は、カード即時発行用申込書であって、記入片１１と、控え片１２と、再剥離糊（再剥離再貼付層）１３等とを備える。
【００３３】
記入片１１は、申込者が必要事項を記入する紙片であって、Ａ４サイズのコート紙であり、「個人情報欄」、「勤務先情報欄」、「カードおよび搭乗記録送付先指定欄」、「ｅメールアドレス記入欄」等の記入欄１１ａを有する。
【００３４】
控え片１２は、申込者に控えとして手渡す紙片であって、記入片１１よりも小さいサイズのコート紙であり、「受付番号」、「お名前」等の控え欄１２ａと、「ｅメールアドレス記入例」等のコメント欄１２ｂとを有する。
【００３５】
再剥離糊１３は、記入片１１と控え片１２とを再剥離再貼付可能に接着するとともに、他の片が貼付可能な糊である。
また、再剥離糊１３は、記入片１１の記入欄１１ａと同一面上（同一側）に形成されており、記入片１１の下端部付近に帯状に形成された再剥離糊１３−１と、再剥離糊１３−１の上方の左側半分に長方形形状に形成された再剥離糊１３−２とを備える。
【００３６】
再剥離糊１３−１と再剥離糊１３−２との間には、折り畳み用のミシン目ｍｃ１が、記入片１１の左辺から右辺まで切り込まれており、また、控え欄１２ａとコメント欄１２ｂとの間には、分割用のマイクロミシン目ｍｃ２が、控え片１２の左辺から右辺まで切り込まれている。
【００３７】
次に、実施例１による申込書１０の使用方法について説明する。
図２は、申込書１０の使用方法を示す図である。
（＃１）記入欄１１ａに必要事項が記入された申込書１０を受け取る。
（＃２）控え欄１２ａに必要事項を記入し、マイクロミシン目ｍｃ２によって控え欄１２ａ部分を切り離し、申込者に手渡す。
【００３８】
（＃３）記入欄１１ａを内部に隠蔽するように申込書１０を中央で２つ折りし、表出した再剥離糊１３−１と折り畳まれた記入片（他の片）１１の上端部とを接着させて、この申込書１０を封止し、記入欄１１ａに記入された申込者の個人情報を一時的に隠蔽する。
（＃４）カード発行証明書（他の片）２０を発行する。
このカード発行証明書２０は、カードを発行した証拠として発行するものであり、また、記入片１１の記入欄１１ａに情報を付加するための貼付片でもある。
また、カード発行証明書２０は、セルフ発色用紙が利用されており、発行されたカードから、インプリンタによってＮｏ．や氏名等のエンボス文字が複写されている。
【００３９】
（＃５）２つ折りされていた申込書１０を元に戻し、コメント欄１２ｂ部分を剥離して再剥離糊１３−２を表出させる。
（＃６）ミシン目ｍｃ１を用いて、再剥離糊１３−１が内側となるように、記入片１１の下端部を折り畳む。
【００４０】
（＃７）再剥離糊１３−２に、カード発行証明書２０を貼付する。
（＃８）その状態で、ＦＡＸ（読取装置）に読み取らせ、ＦＡＸ送信する。
【００４１】
（＃９）ＦＡＸ送信後に、記入片１１の折り畳まれた下端部を元に戻し、再剥離糊１３−１を表出させる。
（＃１０）申込書１０を再度２つ折りし、再剥離糊１３−１によって申込書１０を封止し、記入欄１１ａとカード発行証明書２０とを隠蔽する。この状態で、申込書１０は、カード運営本部に送付される。
【００４２】
このように、実施例１によれば、以下のような効果がある。
（１）記入片１１と控え片１２とを再剥離糊１３によって接着し、控え片１２を剥離して申込者に手渡した後には、再剥離糊１３にカード発行証明書２０が貼付可能であるので、ホッチキス留めは不要であり、作業性に優れ、剥離と貼付が自由自在となるので、マッチングも容易である。
【００４３】
（２）記入欄１１ａやカード発行証明書２０を内部に隠蔽するように折り畳み、再剥離糊１３によってこの申込書１０を封止するので、作業中や保管中、送付中に、個人情報が外部から容易に読み取られない。
【００４４】
（３）ホッチキスや針金等の綴じ手段を用いる必要がないので、出っ張りや、不用意な引っ掛かりがなく、シートフィーダを使う小型ＦＡＸであっても、問題なく通紙が可能である。
【００４５】
（４）再剥離糊１３は、記入欄１１ａと同一面上に形成されているので、カード発行証明書２０を貼付した場合には、記入欄１１ａとカード発行証明書２０とが同一側に配置されるようになり、両者がマッチングされた状態でＦＡＸ送信できるので、作業が行いやすい。
【００４６】
（５）従来の形態と近似したレイアウトにすることによって、従来利用していたインプリンタ用紙が流用でき、既存の環境もそのまま利用できる。
【実施例２】
【００４７】
図３は、本発明による申込書の実施例２を示す図である。
なお、前述した実施例１と同様な機能を果たす部分には、同一の符号又は末尾に統一した符号を付して、重複する説明や図面を適宜省略する。
実施例２の申込書１０Ａは、控え欄１２ａとコメント欄１２ｂとを横に配置し、記入片１１と控え片１２とが重なる部分の略全体に、再剥離糊１３を形成したものである。
【００４８】
次に、実施例２による申込書１０Ａの使用方法について説明する。なお、使用の流れは、実施例１と略同様であるので、簡単に説明する。
図４は、申込書１０Ａの使用方法を示す図である。
まず、申込書１０Ａを受け取り（＃１）、申込者に控え欄１２ａ部分を手渡し（＃２）、折り畳んで記入欄１１ａを隠蔽する（＃３）。
ついで、カード発行証明書２０を発行し（＃４）、折り畳まれていた申込書１０Ａを元に戻し、再剥離糊１３にカード発行証明書２０を貼付する（＃５）。
そして、この状態で、ＦＡＸに読み取らせ（＃６）、ＦＡＸ送信後に、コメント欄１２ｂ部分を剥離し（又は内側に折り畳み）、再剥離糊１３を表出させる（＃７）。
最後に、申込書１０Ａを折り畳んで個人情報を隠蔽する（＃８）。
【００４９】
このように、実施例２によれば、実施例１と比較すると、細かな折り畳み作業がなくなり、工程も減少するので、取り扱いやすく、作業効率が高まる。
【実施例３】
【００５０】
図５は、本発明による申込書の実施例３を示す図である。
実施例３の申込書１０Ｂは、第１の紙片１０Ｂ−１（第１の基材）と、第２の紙片１０Ｂ−２（第２の基材）とが、再剥離糊１３及びライン糊（強接着層）１４によって接着されているものである。
【００５１】
第１の紙片１０Ｂ−１は、記入片１１と控え片１２とが分離用のミシン目ｍｃ３によって分離可能に一体化された紙片であり、第２の紙片１０Ｂ−２は、第１の紙片１０Ｂ−１の下側に重ね合わされた紙片である。
【００５２】
再剥離糊１３は、第２の紙片１０Ｂ−２の下端部付近の左側半分に帯状に形成された再剥離糊１３−１と、第２の紙片１０Ｂ−２の上端部付近に帯状に形成された再剥離糊１３−２とを備える。また、再剥離糊１３−２は、後述する間隙の中に配置される。
【００５３】
ライン糊１４は、記入片１１と第２の紙片１０Ｂ−２とを剥離不可能に接着する糊であり、第２の紙片１０Ｂ−２の上端部にライン状に形成されており、記入片１１の下端部よりも内側の部分と接着している。
したがって、第１の紙片１０Ｂ−１と第２の紙片１０Ｂ−２との間には、間隙が形成されており、その間隙は、カード発行証明書２０の端部の浮き上がりを防止する浮上り防止手段である。
【００５４】
次に、実施例３による申込書１０Ｂの使用方法について説明する。
図６は、申込書１０Ｂの使用方法を示す図である。
まず、申込書１０Ｂを受け取り（＃１）、申込者に控え片１２を手渡し（＃２）、折り畳んで記入欄１１ａを隠蔽する（＃３）。
ついで、カード発行証明書２０を発行し（＃４）、折り畳まれていた申込書１０Ｂを元に戻し、記入片１１の下端部を捲り上げ、再剥離糊１３−１と再剥離糊１３−２とにカード発行証明書２０を貼付する（＃５）。
そして、捲り上げた記入片１１の下端部を元に戻し、カード発行証明書２０を間隙に挟み込み（＃６）、この状態で、矢印Ａの方向で通紙してＦＡＸに読み取らせ（＃７）、ＦＡＸ送信後に、カード発行証明書２０を２つ折りし、再剥離糊１３−１を表出させる（＃８）。
最後に、申込書１０Ｂを折り畳んで個人情報を隠蔽する（＃９）。
【００５５】
このように、実施例３によれば、カード発行証明書２０が挟み込まれる形態となるため、実施例１や実施例２よりも、ＦＡＸに対しての通紙適性が高い。
また、間隙には、再剥離糊１３−２が形成されているので、カード発行証明書２０をより強固に固定することができる。
【００５６】
（変形例）
以上説明した実施例に限定されることなく、種々の変形や変更が可能であって、それらも本発明の均等の範囲内である。
カード発行証明書２０は、記入欄１１ａに情報を付加するための貼付片の例で説明したが、記入欄１１ａの一部の情報を隠蔽するようなものであってもよい。
【図面の簡単な説明】
【００５７】
【図１】本発明による申込書の実施例１を示す図である。
【図２】申込書１０の使用方法を示す図である。
【図３】本発明による申込書の実施例２を示す図である。
【図４】申込書１０Ａの使用方法を示す図である。
【図５】本発明による申込書の実施例３を示す図である。
【図６】申込書１０Ｂの使用方法を示す図である。
【図７】従来の申込書を示す図である。
【符号の説明】
【００５８】
１０、１０Ａ、１０Ｂ  申込書
１０Ｂ−１  第１の紙片
１０Ｂ−２  第２の紙片
１１  記入片
１１ａ  記入欄
１２  控え片
１２ａ  控え欄
１２ｂ  コメント欄
１３  再剥離糊
１４  ライン糊
２０  カード発行証明書
ｍｃ１、ｍｃ３  ミシン目
ｍｃ２  マイクロミシン目
【図１】
2005324520.tif 000003
【図２】
2005324520.tif 000004
【図３】
2005324520.tif 000005
【図４】
2005324520.tif 000006
【図５】
2005324520.tif 000007
【図６】
2005324520.tif 000008
【図７】
2005324520.tif 000009